(57)【要約】【課題】コンテンツ再生装置又はコンテンツ表示装置の異常を適切に検出することが可能なコンテンツ表示装置、コンテンツ表示システム、及びコンテンツ表示方法を提供する。【解決手段】コンテンツ表示装置は、コンテンツ再生装置から出力されるコンテンツのコンテンツデータに基づいて前記コンテンツを表示部に表示させる表示制御部と、前記表示制御部により前記コンテンツを前記表示部に表示する際の消費電力を取得する消費電力取得部と、前記消費電力取得部により取得される前記消費電力の変化の波形を示す電力波形に、所定の波形パターンを示す特徴波形が含まれる場合に、前記コンテンツ再生装置及び前記表示部が正常であると判定し、前記電力波形に前記特徴波形が含まれない場合に、前記コンテンツ再生装置又は前記表示部が異常であると判定する異常判定部と、を備える。【選択図】図１
2020178326.tif 000002
【特許請求の範囲】
【請求項１】
コンテンツ再生装置から出力されるコンテンツのコンテンツデータに基づいて前記コンテンツを表示部に表示させる表示制御部と、
前記表示制御部により前記コンテンツを前記表示部に表示する際の消費電力を取得する消費電力取得部と、
前記消費電力取得部により取得される前記消費電力の変化の波形を示す電力波形に、所定の波形パターンを示す特徴波形が含まれる場合に、前記コンテンツ再生装置及び前記表示部が正常であると判定し、前記電力波形に前記特徴波形が含まれない場合に、前記コンテンツ再生装置又は前記表示部が異常であると判定する異常判定部と、
を備えるコンテンツ表示装置。
【請求項２】
前記消費電力取得部により取得される前記消費電力の前記電力波形のうち同一周期で現れる波形パターンを前記特徴波形として抽出する特徴抽出部をさらに備える、
請求項１に記載のコンテンツ表示装置。
【請求項３】
前記電力波形に前記特徴波形が含まれない場合に、前記表示制御部は、予め設定されたテスト画像を前記表示部に表示させ、
前記消費電力取得部は、前記表示制御部により前記テスト画像を前記表示部に表示する際の消費電力を取得し、
前記異常判定部は、前記消費電力取得部により取得される前記テスト画像に対応する前記消費電力の前記電力波形が予め設定された波形と一致しない場合に、前記表示部が異常であると判定し、前記テスト画像に対応する前記消費電力の前記電力波形が前記波形と一致する場合に、前記コンテンツ再生装置が異常であると判定する、
請求項１又は請求項２に記載のコンテンツ表示装置。
【請求項４】
前記異常判定部により前記コンテンツ再生装置が異常であると判定された場合に、前記コンテンツ再生装置に再起動を指示する異常時処置部をさらに備える、
請求項３に記載のコンテンツ表示装置。
【請求項５】
前記コンテンツ再生装置が再起動された後に、再び前記異常判定部により前記コンテンツ再生装置が異常であると判定された場合に、前記異常時処置部は、前記コンテンツ再生装置が異常であることを示す情報を、前記コンテンツを前記コンテンツ再生装置に配信するコンテンツ配信装置と、前記コンテンツ再生装置を管理する管理装置との少なくともいずれかに通知する、
請求項４に記載のコンテンツ表示装置。
【請求項６】
前記異常判定部により前記表示部が異常であると判定された場合に、前記異常時処置部は、前記表示部が異常であることを示す情報を、前記コンテンツを前記コンテンツ再生装置に配信するコンテンツ配信装置と、前記表示部を管理する管理装置との少なくともいずれかに通知する、
請求項４又は請求項５に記載のコンテンツ表示装置。
【請求項７】
前記特徴抽出部は、前記コンテンツ再生装置から出力される前記コンテンツの内容が変更される度に、前記特徴波形を抽出する処理を実行する、
請求項２に記載のコンテンツ表示装置。
【請求項８】
コンテンツ配信装置から配信されるコンテンツを取得してコンテンツ表示装置に出力するコンテンツ再生装置と、前記コンテンツ再生装置から出力される前記コンテンツを表示部に表示する前記コンテンツ表示装置とを備えるコンテンツ表示システムであって、
前記コンテンツ配信装置から配信される前記コンテンツを取得するコンテンツ取得部と、
前記コンテンツ取得部により取得される前記コンテンツを、予め設定された再生スケジュールに基づいて前記コンテンツ表示装置に出力するコンテンツ再生処理部と、
前記コンテンツ再生処理部から出力される前記コンテンツを前記再生スケジュールに基づいて前記表示部に表示させる表示制御部と、
前記表示制御部により前記コンテンツを前記表示部に表示する際の消費電力を取得する消費電力取得部と、
前記消費電力取得部により取得される前記消費電力の変化の波形を示す電力波形に、所定の波形パターンを示す特徴波形が含まれる場合に、前記コンテンツ再生装置及び前記表示部が正常であると判定し、前記電力波形に前記特徴波形が含まれない場合に、前記コンテンツ再生装置又は前記表示部が異常であると判定する異常判定部と、
を備えるコンテンツ表示システム。
【請求項９】
コンテンツ再生装置から出力されるコンテンツのコンテンツデータに基づいて前記コンテンツを表示部に表示させる表示制御ステップと、
前記表示制御ステップにより前記コンテンツを前記表示部に表示する際の消費電力を取得する消費電力取得ステップと、
前記消費電力取得ステップにより取得される前記消費電力の変化の波形を示す電力波形に、所定の波形パターンを示す特徴波形が含まれる場合に、前記コンテンツ再生装置及び前記表示部が正常であると判定し、前記電力波形に前記特徴波形が含まれない場合に、前記コンテンツ再生装置又は前記表示部が異常であると判定する異常判定ステップと、
を一又は複数のプロセッサーにより実行するコンテンツ表示方法。
【発明の詳細な説明】
【技術分野】
【０００１】
本発明は、コンテンツ表示装置、コンテンツ表示システム、及びコンテンツ表示方法に関する。
【背景技術】
【０００２】
従来、公共施設等に設置され、広告などのコンテンツを表示するデジタルサイネージと称されるコンテンツ表示システムが知られている（例えば特許文献１参照）。一般的に、コンテンツ表示システムは、予め設定されたスケジュールに基づいて前記コンテンツを繰り返し再生する。
【先行技術文献】
【特許文献】
【０００３】
【特許文献１】特開２０１３−１１７６０３号公報
【発明の概要】
【発明が解決しようとする課題】
【０００４】
前記コンテンツ表示システムは、主に、コンテンツを配信するコンテンツ配信装置と、コンテンツ配信装置から配信される前記コンテンツを受信して映像信号に変換するコンテンツ再生装置と、コンテンツ再生装置から出力される前記映像信号に基づいて前記コンテンツを表示するコンテンツ表示装置とを備える。前記コンテンツ表示システムでは、以下の問題が生じる場合がある。例えば、前記コンテンツ配信装置、前記コンテンツ再生装置、又は前記コンテンツ表示装置に異常が生じると、前記コンテンツ表示装置の表示部には、前記コンテンツが正しく表示されず、本来の画像とは異なる画像が表示され続ける。このような異常が生じた場合であっても、前記コンテンツを管理する管理者は、前記コンテンツ表示装置が設置された場所にいない場合には、前記異常の状態を把握することが難しい。このため、修理、点検など前記異常に対する対応が遅れてしまう。
【０００５】
本発明の目的は、コンテンツ表示システムの異常を適切に検出することが可能なコンテンツ表示装置、コンテンツ表示システム、及びコンテンツ表示方法を提供することにある。
【課題を解決するための手段】
【０００６】
本発明の一の態様に係るコンテンツ表示装置は、コンテンツ再生装置から出力されるコンテンツのコンテンツデータに基づいて前記コンテンツを表示部に表示させる表示制御部と、前記表示制御部により前記コンテンツを前記表示部に表示する際の消費電力を取得する消費電力取得部と、前記消費電力取得部により取得される前記消費電力の変化の波形を示す電力波形に、所定の波形パターンを示す特徴波形が含まれる場合に、前記コンテンツ再生装置及び前記表示部が正常であると判定し、前記電力波形に前記特徴波形が含まれない場合に、前記コンテンツ再生装置又は前記表示部が異常であると判定する異常判定部と、を備える。
【０００７】
本発明の他の態様に係るコンテンツ表示システムは、コンテンツ配信装置から配信されるコンテンツを取得してコンテンツ表示装置に出力するコンテンツ再生装置と、前記コンテンツ再生装置から出力される前記コンテンツを表示部に表示する前記コンテンツ表示装置とを備えるコンテンツ表示システムであって、前記コンテンツ配信装置から配信される前記コンテンツを取得するコンテンツ取得部と、前記コンテンツ取得部により取得される前記コンテンツを、予め設定された再生スケジュールに基づいて前記コンテンツ表示装置に出力するコンテンツ再生処理部と、前記コンテンツ再生処理部から出力される前記コンテンツを前記再生スケジュールに基づいて前記表示部に表示させる表示制御部と、前記表示制御部により前記コンテンツを前記表示部に表示する際の消費電力を取得する消費電力取得部と、前記消費電力取得部により取得される前記消費電力の変化の波形を示す電力波形に、所定の波形パターンを示す特徴波形が含まれる場合に、前記コンテンツ再生装置及び前記表示部が正常であると判定し、前記電力波形に前記特徴波形が含まれない場合に、前記コンテンツ再生装置又は前記表示部が異常であると判定する異常判定部と、を備える。
【０００８】
本発明の他の態様に係るコンテンツ表示方法は、コンテンツ再生装置から出力されるコンテンツのコンテンツデータに基づいて前記コンテンツを表示部に表示させる表示制御ステップと、前記表示制御ステップにより前記コンテンツを前記表示部に表示する際の消費電力を取得する消費電力取得ステップと、前記消費電力取得ステップにより取得される前記消費電力の変化の波形を示す電力波形に、所定の波形パターンを示す特徴波形が含まれる場合に、前記コンテンツ再生装置及び前記表示部が正常であると判定し、前記電力波形に前記特徴波形が含まれない場合に、前記コンテンツ再生装置又は前記表示部が異常であると判定する異常判定ステップと、を一又は複数のプロセッサーにより実行するコンテンツ表示方法である。
【発明の効果】
【０００９】
本発明によれば、コンテンツ表示システムの異常を適切に検出することが可能となる。
【図面の簡単な説明】
【００１０】
【図１】図１は、本発明の実施形態に係るコンテンツ表示システムの構成を示すブロック図である。
【図２】図２は、本発明の実施形態に係るコンテンツ表示システムで使用される特徴波形情報の一例を示す図である。
【図３】図３は、本発明の実施形態に係るコンテンツ表示システムで計測される消費電力の変化の波形の一例を示す図である。
【図４】図４は、本発明の実施形態に係るコンテンツ表示システムで計測される消費電力の変化の波形の他の例を示す図である。
【図５】図５は、本発明の実施形態に係るコンテンツ表示システムで計測される消費電力の変化の波形の他の例を示す図である。
【図６】図６は、本発明の実施形態に係るコンテンツ表示システムにおいて実行される特徴抽出処理の手順の一例を説明するためのフローチャートである。
【図７】図７は、本発明の実施形態に係るコンテンツ表示システムにおいて実行される異常判定処理の手順の一例を説明するためのフローチャートである。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
本発明に係るコンテンツ表示システムは、店舗、駅、街頭、オフィスなど様々な場所において、広告などの映像及び音声で構成されるコンテンツを表示（再生）するシステムに適用される。
【００１３】
図１は、本発明の実施形態に係るコンテンツ表示システム１００の概略構成を示す図である。コンテンツ表示システム１００は、コンテンツ配信装置３と、コンテンツ再生装置１と、コンテンツ表示装置２とを含んでいる。コンテンツ配信装置３とコンテンツ再生装置１とはネットワークＮ１を介して通信可能に接続されており、同様に、コンテンツ配信装置３とコンテンツ表示装置２とはネットワークＮ１を介して通信可能に接続されている。ネットワークＮ１は、インターネット、ＬＡＮ、ＷＡＮ、又は公衆電話回線などの通信網である。また、コンテンツ再生装置１とコンテンツ表示装置２とはネットワークＮ２を介して通信可能に接続されている。ネットワークＮ２は、有線ＬＡＮ又は無線ＬＡＮなどの通信網、又はＲＳ２３２ＣやＩ２Ｃ等の機器間通信線である。なお、コンテンツ再生装置１とコンテンツ表示装置２とは一体に形成されてもよく、この場合、コンテンツ再生装置１とコンテンツ表示装置２とにより一つの機器（コンテンツ再生／表示装置１０）を構成する。
【００１４】
また、コンテンツ表示システム１００には、複数のコンテンツ再生装置１及び複数のコンテンツ表示装置２が含まれてもよい。コンテンツ表示システム１００が複数のコンテンツ再生装置１及び複数のコンテンツ表示装置２を含む場合、各コンテンツ再生装置１は異なる場所に１台ずつ配置され、各コンテンツ表示装置２はコンテンツ再生装置１に対応して異なる場所に１台ずつ配置される。またコンテンツ配信装置３は、例えば複数のコンテンツ再生装置１及び複数のコンテンツ表示装置２を監視及び制御し、各コンテンツ再生装置１にコンテンツを配信する。コンテンツ配信装置３は、１台であってもよいし複数台であってもよい。
【００１５】
コンテンツ配信装置３は、コンテンツを配信及び管理し、またコンテンツ再生装置１及びコンテンツ表示装置２を監視して保守情報（保守用信号）を送受信する。以下、コンテンツ表示システム１００の具体的な構成について説明する。以下の実施形態では、コンテンツ表示システム１００の一例として、コンテンツ配信装置３がコンテンツデータＣＡをコンテンツ再生装置１に配信し、コンテンツ表示装置２がコンテンツ再生装置１から出力される映像信号ＤＡに基づいて前記コンテンツを表示する構成を説明する。なお、本発明のコンテンツ表示システム１００は上記構成に限定されず、コンテンツ配信装置３がコンテンツデータＣＡをコンテンツ再生／表示装置１０に配信し、コンテンツ再生／表示装置１０が前記コンテンツを表示する構成であってもよい。
【００１６】
［コンテンツ配信装置３］
図１に示すように、コンテンツ配信装置３（コンテンツ管理装置）は、制御部３１、記憶部３２、操作表示部３３、及び通信部３４などを備える。コンテンツ配信装置３は、例えばパーソナルコンピュータのような情報処理装置であってもよい。
【００１７】
通信部３４は、コンテンツ配信装置３を有線又は無線でネットワークＮ１に接続し、ネットワークＮ１を介してコンテンツ再生装置１及びコンテンツ表示装置２との間で所定の通信プロトコルに従ったデータ通信を実行するための通信インターフェースである。
【００１８】
操作表示部３３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。操作表示部３３は、例えばコンテンツ配信装置３の管理者の操作を受け付ける。なお、管理者は、配信するコンテンツの管理を行う権限を有する。
【００１９】
記憶部３２は、各種の情報を記憶するフラッシュメモリなどの不揮発性の記憶部である。例えば、記憶部３２には、制御部３１に各種の処理を実行させるための制御プログラムが記憶されている。例えば、前記制御プログラムは、ＵＳＢ（登録商標）メモリ、ＣＤ又はＤＶＤなどのコンピュータ読取可能な記録媒体に非一時的に記録されており、これら記録媒体からコンテンツ配信装置３の記憶部３２に記憶される。
【００２０】
また記憶部３２には、コンテンツ表示装置２に表示させるコンテンツに対応するコンテンツデータが記憶される。また記憶部３２には、前記コンテンツに関連付けて、前記コンテンツを表示させるコンテンツ表示装置２の識別情報、前記コンテンツの表示日時（表示開始日時、表示終了日時、再生所要時間）及び表示順などを示す再生スケジュールの情報などが記憶される。
【００２１】
例えば、コンテンツ配信装置３の管理者は、操作表示部３３において、前記コンテンツデータを記憶部３２に登録したり、前記コンテンツの再生スケジュールを設定したりする。
【００２２】
制御部３１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリ（作業領域）として使用される。そして、制御部３１は、前記ＲＯＭ又は記憶部３２に予め記憶された各種の制御プログラムを前記ＣＰＵで実行することによりコンテンツ配信装置３を制御する。
【００２３】
具体的に、制御部３１は、所定のコンテンツのコンテンツデータＣＡと当該コンテンツに対応する前記再生スケジュールとをコンテンツ再生装置１に配信する。なお、制御部３１は、前記再生スケジュールに基づいて、前記コンテンツデータをコンテンツ再生装置１に配信してもよい。コンテンツ配信装置３は、周知の構成を適用することができる。
【００２４】
［コンテンツ再生装置１］
図１に示すように、コンテンツ再生装置１は、制御部１１、記憶部１２、操作部１３、及び通信部１４などを備える。コンテンツ再生装置１は、例えばパーソナルコンピュータのような情報処理装置であってもよい。
【００２５】
通信部１４は、コンテンツ再生装置１を有線又は無線でネットワークＮ１，Ｎ２に接続し、ネットワークＮ１を介してコンテンツ配信装置３との間で所定の通信プロトコルに従ったデータ通信を実行し、ネットワークＮ２を介してコンテンツ表示装置２との間で所定の通信プロトコルに従ったデータ通信を実行するための通信インターフェースである。
【００２６】
操作部１３は、コンテンツ再生装置１に対するユーザの各種操作を受け付けるマウス又はキーボードなどのインターフェースである。なお、コンテンツ表示装置２がタッチパネルを備える場合、操作部１３は、タッチパネルからユーザの各種操作を受け付けてもよい。
【００２７】
記憶部１２は、各種の情報を記憶するフラッシュメモリなどの不揮発性の記憶部である。例えば、記憶部１２には、制御部１１に各種の処理を実行させるための制御プログラムが記憶されている。例えば、前記制御プログラムは、ＵＳＢ（登録商標）メモリ、ＣＤ又はＤＶＤなどのコンピュータ読取可能な記録媒体に非一時的に記録されており、これら記録媒体からコンテンツ再生装置１の記憶部１２に記憶される。
【００２８】
また記憶部１２には、コンテンツ配信装置３から配信されるコンテンツデータＣＡ及び前記再生スケジュールなどのデータが記憶される。
【００２９】
制御部１１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリ（作業領域）として使用される。そして、制御部１１は、前記ＲＯＭ又は記憶部１２に予め記憶された各種の制御プログラムを前記ＣＰＵで実行することによりコンテンツ再生装置１を制御する。
【００３０】
具体的に、制御部１１は、コンテンツ取得部１１１とコンテンツ再生処理部１１２とを含む。コンテンツ取得部１１１は、コンテンツ配信装置３から配信される前記コンテンツのコンテンツデータＣＡと前記再生スケジュールとを取得する。コンテンツ取得部１１１は、取得した前記コンテンツデータＣＡ及び前記再生スケジュールを記憶部１２に格納する。コンテンツ取得部１１１は本発明のコンテンツ取得部の一例である。
【００３１】
コンテンツ再生処理部１１２は、前記再生スケジュールに基づいて、コンテンツデータＣＡを所定の信号形式の映像信号ＤＡ（例えばＨＤＭＩ（登録商標）信号）に変換してコンテンツ表示装置２に出力する。例えば、コンテンツＩＤ「０００１」のコンテンツＣ１の再生所要時間が３分である場合に、コンテンツ再生処理部１１２は、コンテンツＣ１のコンテンツデータＣＡを映像信号ＤＡに変換して、所定期間（例えば一週間の各日の所定時間帯）に、同一周期（ここでは３分）で繰り返しコンテンツ表示装置２に出力する。コンテンツ再生装置１は、周知の構成を適用することができる。
【００３２】
［コンテンツ表示装置２］
図１に示すように、コンテンツ表示装置２は、制御部２１、記憶部２２、表示部２３、通信部２４などを備える。
【００３３】
通信部２４は、コンテンツ表示装置２を有線又は無線でネットワークＮ１，Ｎ２に接続し、ネットワークＮ１を介してコンテンツ配信装置３との間で所定の通信プロトコルに従ったデータ通信を実行し、ネットワークＮ２を介してコンテンツ再生装置１との間で所定の通信プロトコルに従ったデータ通信を実行するための通信インターフェースである。
【００３４】
表示部２３は、コンテンツ再生装置１から出力される広告などの前記コンテンツ、及び各種の情報を表示する液晶ディスプレイ又は有機ＥＬディスプレイである。表示部２３は、本発明の表示部の一例である。なお、コンテンツ表示装置２は、ユーザの操作を受け付けるタッチパネルなどの操作部を備えてもよい。
【００３５】
記憶部２２は、各種の情報を記憶するフラッシュメモリなどの不揮発性の記憶部である。例えば、記憶部２２には、制御部２１に後述の特徴抽出処理（図６参照）を実行させるための特徴抽出プログラム、異常判定処理（図７参照）を実行させるための異常判定プログラムなどの制御プログラムが記憶されている。例えば、前記特徴抽出プログラム及び前記異常判定プログラムは、ＵＳＢ（登録商標）メモリ、ＣＤ又はＤＶＤなどのコンピュータ読取可能な記録媒体に非一時的に記録されており、これら記録媒体からコンテンツ表示装置２の記憶部２２に記憶される。また前記特徴抽出プログラム及び前記異常判定プログラムは、コンテンツ配信装置３からネットワークＮ１を介してコンテンツ表示装置２の記憶部２２にダウンロードされてもよい。
【００３６】
また、記憶部２２には、前記特徴抽出処理において抽出される特徴波形に関する情報を示す特徴波形情報Ｄ１が記憶される。図２は、特徴波形情報Ｄ１の一例を示す図である。特徴波形情報Ｄ１には、「コンテンツＩＤ」、「特徴波形」、「周期」の情報が含まれる。「コンテンツＩＤ」は、映像信号ＤＡに対応する前記コンテンツの識別情報である。「特徴波形」は、映像信号ＤＡに対応する前記コンテンツを表示部２３に表示する際の消費電力の波形を示す電力波形に含まれる所定の波形であり、例えば、同一周期で現れる波形パターンである。特徴波形情報Ｄ１には、波形パターンの情報が登録される。「周期」は、前記特徴波形が現れる周期を示す情報である。特徴波形情報Ｄ１は、前記特徴抽出処理が実行される度に、制御部２１により登録されたり更新されたりする。
【００３７】
制御部２１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリ（作業領域）として使用される。そして、制御部２１は、前記ＲＯＭ又は記憶部２２に予め記憶された各種の制御プログラムを前記ＣＰＵで実行することによりコンテンツ表示装置２を制御する。
【００３８】
具体的に、制御部２１は、表示制御部２１１、消費電力取得部２１２、特徴抽出部２１３、異常判定部２１４、異常時処置部２１５などの各種の処理部を含む。表示制御部２１１は本発明の表示制御部の一例であり、消費電力取得部２１２は本発明の消費電力取得部の一例であり、特徴抽出部２１３は本発明の特徴抽出部の一例であり、異常判定部２１４は本発明の異常判定部の一例であり、異常時処置部２１５は本発明の異常時処置部の一例である。
【００３９】
なお、制御部２１は、前記特徴抽出プログラム及び前記異常判定プログラムに従った各種の処理を実行することによって前記各種の処理部として機能する。また、制御部２１に含まれる一部又は全部の処理部が電子回路で構成されていてもよい。なお、前記特徴抽出プログラム及び前記異常判定プログラムは、複数のプロセッサーを前記各種の処理部として機能させるためのプログラムであってもよい。
【００４０】
表示制御部２１１は、コンテンツ再生装置１から出力される映像信号ＤＡに基づいて前記コンテンツを表示部２３に表示させる。具体的には、表示制御部２１１は、前記再生スケジュールに従ってコンテンツ再生装置１から出力される映像信号ＤＡに基づいて前記コンテンツを表示部２３に表示させる。
【００４１】
また、表示制御部２１１は、コンテンツ表示装置２の電源がオン状態になったときに実行される初期検査処理において所定のテストパターン画像（本発明のテスト画像に対応）を表示部２３に表示させる。例えば、初期検査処理では、前記テストパターン画像が適切に表示されるか否かを判定し、前記テストパターン画像が適切に表示される場合に正常と判断して、通常動作モードに移行する。また前記テストパターン画像が適切に表示されない場合に異常と判断して、メンテナンスモードに移行する。前記初期検査処理は、周知の技術を適用することができる。
【００４２】
また、表示制御部２１１は、後述の異常判定処理（図６参照）において、前記テストパターン画像を表示部２３に表示させる。前記テストパターン画像は、任意のロゴマークの画像、消費電力が最大値となる画像、消費電力が最小値となる画像、消費電力が中間値となる画像などを用いることができる。前記テストパターン画像は、予め記憶部２２に記憶される。
【００４３】
消費電力取得部２１２は、表示制御部２１１により前記コンテンツを表示部２３に表示する際の消費電力を取得する。例えば、消費電力取得部２１２は、表示部２３（表示パネル）を駆動する駆動電源の電力をリアルタイムで計測して、前記消費電力を取得する。前記駆動電源の電力は、例えば、制御基板（タイミングコントローラ基板など）に供給される。
【００４４】
消費電力取得部２１２は、取得した前記消費電力の情報を記憶部２２に順次記録していく。記憶部２２には、時刻に応じた前記消費電力の情報（計測日時、計測値など）が記録される。図３は、前記消費電力の変化の波形を示す電力波形である。図３に示す例は、コンテンツＣ１（図２に示すコンテンツＩＤ「０００１」参照）の電力波形を示している。コンテンツＣ１では、波形パターンＡ（特徴波形）が所定の周期Ｔａで繰り返し現れる。
【００４５】
図４に示す例は、コンテンツＣ２（図２に示すコンテンツＩＤ「０００２」参照）の電力波形を示している。コンテンツＣ２では、波形パターンＢ（特徴波形）が所定の周期Ｔｂで繰り返し現れる。隣り合う２つの波形パターンＢの間には、互いに異なる波形パターンＰ１，Ｐ２が現れる。例えば、波形パターンＰ１は、ユーザＸ（事業者Ｘ）の広告コンテンツに対応する電力波形であり、波形パターンＰ２は、ユーザＹ（事業者Ｙ）の広告コンテンツに対応する電力波形である。この場合、波形パターンＢは、例えば予め設定された初期画像（例えば、アイキャッチ画像）に対応する電力波形である。
【００４６】
特徴抽出部２１３は、コンテンツ再生装置１から出力される映像信号ＤＡの前記コンテンツに対応する電力波形において、同一周期で現れる所定の波形パターンである前記特徴波形と、前記周期とを抽出する処理（特徴抽出処理）を実行する。例えば、特徴抽出部２１３は、コンテンツ表示装置２の電源がオン状態になったときに実行される前記初期検査処理において、前記特徴波形及び前記周期を抽出する。また例えば、特徴抽出部２１３は、コンテンツ表示装置２が前記コンテンツを正常に表示している表示期間に、前記特徴波形及び前記周期を抽出してもよい。このように、特徴抽出部２１３は、コンテンツ再生装置１から正常に前記コンテンツが出力され、前記コンテンツが表示部２３で正常に表示される場合に、前記コンテンツに対応する電力波形に含まれる、同一周期で現れる特徴的な波形パターンを前記特徴波形として抽出する。
【００４７】
特徴抽出部２１３は、抽出した前記特徴波形及び前記周期を記憶部２２の特徴波形情報Ｄ１（図２参照）に記録する。なお、特徴抽出部２１３は、予め、コンテンツ再生装置１から前記特徴波形及び前記周期を取得して特徴波形情報Ｄ１に記録してもよい。特徴抽出部２１３は、コンテンツ再生装置１から出力される前記コンテンツの内容が変更される度に前記特徴抽出処理を実行する。特徴抽出部２１３は、前記特徴抽出処理を繰り返し実行することにより、前記特徴波形を機械学習により算出してもよい。
【００４８】
異常判定部２１４は、消費電力取得部２１２により取得される前記消費電力に対応する前記電力波形（図３参照）に、所定の波形パターンを示す前記特徴波形が含まれるか否かを判定する。また異常判定部２１４は、前記電力波形に前記特徴波形が含まれると判定した場合に、コンテンツ再生装置１及び表示部２３が正常であると判定する。例えば、図３に示す電力波形には、特徴波形情報Ｄ１（コンテンツＩＤ「０００１」）に登録されている特徴波形である、同一周期Ｔａで現れる波形パターンＡが含まれる。この場合、コンテンツＩＤ「０００１」のコンテンツは、コンテンツ再生装置１から正常に出力され、表示部２３において正常に表示されていると判断できるため、異常判定部２１４は、コンテンツ再生装置１及び表示部２３が正常であると判定する。
【００４９】
これに対して、異常判定部２１４は、前記電力波形に前記特徴波形が含まれないと判定した場合に、コンテンツ再生装置１又は表示部２３が異常であると判定する。例えば、図５に示す電力波形では、特徴波形情報Ｄ１（コンテンツＩＤ「０００１」）に登録されている特徴波形である波形パターンＡが一定の周期Ｔａで現れない（時刻Ｔ３〜Ｔ４）。この場合、コンテンツＩＤ「０００１」のコンテンツは、コンテンツ再生装置１から正常に出力されていないか、又は、表示部２３において正常に表示されていないと判断できるため、異常判定部２１４は、コンテンツ再生装置１又は表示部２３が異常であると判定する。
【００５０】
異常判定部２１４によりコンテンツ再生装置１又は表示部２３が異常であると判定された場合、制御部２１はさらに以下の処理を実行する。
【００５１】
具体的には、表示制御部２１１が、予め設定された前記テストパターン画像を表示部２３に表示させる。次に消費電力取得部２１２が、表示制御部２１１により前記テストパターン画像を表示部２３に表示する際の消費電力を取得する。
【００５２】
そして、異常判定部２１４は、消費電力取得部２１２により取得される前記テストパターン画像に対応する前記消費電力の電力波形が予め設定された波形（基準波形）と一致しない場合に、表示部２３が異常であると判定する。一方、異常判定部２１４は、前記テストパターン画像に対応する前記消費電力の前記電力波形が前記波形（基準波形）と一致する場合に、コンテンツ再生装置１が異常であると判定する。なお、前記基準波形は、所定期間の消費電力の変化を示す波形であってもよいし、消費電力の最大値、最小値、又は中間値であってもよい。
【００５３】
異常時処置部２１５は、異常判定部２１４によりコンテンツ再生装置１又は表示部２３が異常であると判定された場合に、異常を解消するための所定の処置を実行する。
【００５４】
具体的には、異常時処置部２１５は、異常判定部２１４によりコンテンツ再生装置１が異常であると判定された場合に、コンテンツ再生装置１に再起動を指示する。コンテンツ再生装置１は、再起動の指示を取得すると再起動を実行して、再び前記コンテンツに対応する映像信号ＤＡの出力処理を実行する。コンテンツ再生装置１が再起動された後に再び異常判定部２１４によりコンテンツ再生装置１が異常であると判定された場合には、異常時処置部２１５は、コンテンツ再生装置１が異常であることを外部に通知する。例えば、異常時処置部２１５は、コンテンツ再生装置１に異常が発生したことを示すメッセージ（異常通知）、コンテンツ再生装置１の修理依頼などを、コンテンツ配信装置３に通知する。なお、異常時処置部２１５は、前記異常通知及び前記修理依頼を、コンテンツ再生／表示装置１０の修理、保守、点検などを行う管理センタ、サービスセンタ、メンテナンスセンタなどに配置され、コンテンツ再生／表示装置１０（例えばコンテンツ再生装置１）を管理する管理装置（外部装置）に通知してもよい。前記異常通知及び前記修理依頼が前記管理装置に通知されると、例えば修理担当者は、コンテンツ再生装置１が設置された場所に赴きコンテンツ再生装置１の修理等の作業を行う。異常時処置部２１５は、前記異常通知及び前記修理依頼を、コンテンツ配信装置３及び管理装置の少なくともいずれかに通知する。
【００５５】
また、異常時処置部２１５は、異常判定部２１４により表示部２３が異常であると判定された場合に、表示部２３が異常であることをコンテンツ配信装置３に通知する。例えば、異常時処置部２１５は、コンテンツ表示装置２の表示部２３に異常が発生したことを示すメッセージ、コンテンツ表示装置２の修理依頼などを、コンテンツ配信装置３に通知する。なお、異常時処置部２１５は、前記異常通知及び前記修理依頼を、コンテンツ再生／表示装置１０の修理、保守、点検などを行う管理センタ、サービスセンタ、メンテナンスセンタなどに配置され、コンテンツ再生／表示装置１０（例えばコンテンツ表示装置２の表示部２３）を管理する管理装置（外部装置）に通知してもよい。前記異常通知及び前記修理依頼が前記管理装置に通知されると、例えば修理担当者は、コンテンツ表示装置２が設置された場所に赴きコンテンツ表示装置２の表示部２３の修理等の作業を行う。異常時処置部２１５は、前記異常通知及び前記修理依頼を、コンテンツ配信装置３及び管理装置の少なくともいずれかに通知する。
【００５６】
［特徴抽出処理］
以下、図６を参照しつつ、コンテンツ表示装置２の制御部２１によって実行される特徴抽出処理の手順の一例について説明する。前記特徴抽出処理の一部は、コンテンツ再生装置１の制御部１１によって実行されてもよい。ここでは、コンテンツ再生装置１及びコンテンツ表示装置２がともに正常に動作し、コンテンツを正常に表示しているときに前記特徴抽出処理が実行されるものとする。
【００５７】
なお、本発明は、前記特徴抽出処理に含まれる一又は複数のステップを実行する特徴抽出方法の発明として捉えることができる。また、ここで説明する前記特徴抽出処理に含まれる一又は複数のステップが適宜省略されてもよい。また、前記特徴抽出処理における各ステップは、同様の作用効果を生じる範囲で実行順序が異なってもよい。さらに、ここでは制御部２１によって前記特徴抽出処理における各ステップが実行される場合を例に挙げて説明するが、他の実施形態では、複数のプロセッサーによって前記特徴抽出処理における各ステップが分散して実行されてもよい。
【００５８】
先ずステップＳ１１において、制御部２１は、前記コンテンツを表示部２３に表示する際の消費電力を取得する。例えば、制御部２１は、表示部２３を駆動する駆動電源の電力をリアルタイムで計測して、前記消費電力を取得する。
【００５９】
次にステップＳ１２において、制御部２１は、取得した前記消費電力の電力波形において、同一周期で現れる所定の波形パターンである特徴波形と、前記周期とを抽出する。
【００６０】
次にステップＳ１３において、制御部２１は、抽出した前記特徴波形及び前記周期を記憶部２２の特徴波形情報Ｄ１（図２参照）に記録する。制御部２１は、前記特徴抽出処理を繰り返し実行することにより、前記特徴波形を機械学習により算出してもよい。以上のようにして、前記特徴抽出処理が実行される。
【００６１】
［異常判定処理］
以下、図７を参照しつつ、コンテンツ表示装置２の制御部２１によって実行される前記異常判定処理の手順の一例について説明する。前記異常判定処理は、コンテンツ再生装置１及びコンテンツ表示装置２がともに動作している間、継続して実行される。なお、制御部２１は、予め設定された判定条件（判定開始条件、判定周期など）に基づいて判定処理を実行してもよい。
【００６２】
なお、本発明は、前記異常判定処理に含まれる一又は複数のステップを実行する異常判定方法の発明として捉えることができる。また、ここで説明する前記異常判定処理に含まれる一又は複数のステップが適宜省略されてもよい。また、前記異常判定処理における各ステップは、同様の作用効果を生じる範囲で実行順序が異なってもよい。さらに、ここでは制御部２１によって前記異常判定処理における各ステップが実行される場合を例に挙げて説明するが、他の実施形態では、複数のプロセッサーによって前記異常判定処理における各ステップが分散して実行されてもよい。
【００６３】
先ずステップＳ２１において、制御部２１は、特徴波形情報Ｄ１（図２参照）を参照して、表示中又は表示すべきコンテンツの特徴波形及び周期を取得する。
【００６４】
次にステップＳ２２において、制御部２１は、前記コンテンツを表示部２３に表示する際の消費電力を取得する。例えば、制御部２１は、表示部２３を駆動する駆動電源の電力をリアルタイムで計測して、前記消費電力を取得する。
【００６５】
次にステップＳ２３において、制御部２１は、取得した前記消費電力に対応する電力波形に、前記周期で現れる前記特徴波形が含まれるか否かを判定する。前記電力波形に前記特徴波形が含まれると判定された場合（Ｓ２３：ＹＥＳ）、処理はステップＳ２２に戻る。一方、前記電力波形に前記特徴波形が含まれないと判定された場合（Ｓ２３：ＮＯ）、処理はステップＳ２４に移行する。
【００６６】
ステップＳ２４において、制御部２１は、予め設定されたテストパターン画像を表示部２３に表示させる。
【００６７】
次にステップＳ２５において、制御部２１は、前記テストパターン画像に対応する消費電力の電力波形が予め設定された波形（基準波形）と一致するか否かを判定する。前記電力波形が前記基準波形と一致する場合（Ｓ２５：ＹＥＳ）、処理はステップＳ２６に移行する。一方、前記電力波形が前記基準波形と一致しない場合（Ｓ２５：ＮＯ）、処理はステップＳ３０に移行する。ステップＳ２５は、本発明の異常判定ステップの一例である。
【００６８】
ステップＳ２６において、制御部２１は、コンテンツ再生装置１に再起動を指示する。コンテンツ再生装置１は、再起動の指示を取得すると再起動を実行して、再び前記コンテンツの出力処理を実行する。
【００６９】
次にステップＳ２７において、制御部２１は、再び前記コンテンツを表示部２３に表示する際の消費電力を取得する。ステップＳ２７は、本発明の消費電力取得ステップの一例である。
【００７０】
次にステップＳ２８において、制御部２１は、取得した前記消費電力に対応する電力波形に、前記周期で現れる前記特徴波形が含まれるか否かを判定する。前記電力波形に前記特徴波形が含まれると判定された場合（Ｓ２８：ＹＥＳ）、処理はステップＳ２２に戻る。一方、前記電力波形に前記特徴波形が含まれないと判定された場合（Ｓ２８：ＮＯ）、処理はステップＳ２９に移行する。ステップＳ２８は、本発明の異常判定ステップの一例である。
【００７１】
ステップＳ２９において、制御部２１は、コンテンツ再生装置１が異常であることをコンテンツ配信装置３に通知する。例えば、制御部２１は、コンテンツ再生装置１が異常であること示すメッセージ及び修理依頼をコンテンツ配信装置３に通知する。
【００７２】
一方、ステップＳ３０では、制御部２１は、表示部２３が異常であることをコンテンツ配信装置３に通知する。例えば、制御部２１は、コンテンツ表示装置２の表示部２３が異常であることを示すメッセージ及び修理依頼をコンテンツ配信装置３に通知する。
【００７３】
以上のように、本実施形態に係るコンテンツ表示システム１００によれば、コンテンツ表示装置２の表示部２３における消費電力の波形に、同一周期で繰り返し出現すべき特徴波形（波形パターン）が出現しない場合に、コンテンツ再生装置１又はコンテンツ表示装置２に異常が発生していることを検出することができる。また、異常の発生場所が、コンテンツ再生装置１側であるか、又はコンテンツ表示装置２側であるかを判定することができる。また、コンテンツ再生装置１に異常が生じた場合にコンテンツ表示装置２がコンテンツ再生装置１に再起動を指示することにより、コンテンツ再生装置１を正常に復帰させることが可能となり、管理者、修理担当者の負担を軽減することができる。
【００７４】
また、コンテンツ再生装置１又はコンテンツ表示装置２において修理を要する異常が生じた場合には、異常通知及び修理依頼などの情報がコンテンツ配信装置３に通知されるため、管理者、修理担当者は迅速に対応することが可能となる。なお、前記特徴波形は、デジタルサイネージで再生するコンテンツに特有の波形であるため、本発明のコンテンツ表示システム１００は、デジタルサイネージシステムに好適である。
【符号の説明】
【００７５】
１      ：コンテンツ再生装置
２      ：コンテンツ表示装置
３      ：コンテンツ配信装置
１０    ：コンテンツ再生／表示装置
１１    ：制御部
１２    ：記憶部
１３    ：操作部
１４    ：通信部
２１    ：制御部
２２    ：記憶部
２３    ：表示部
２４    ：通信部
３１    ：制御部
３２    ：記憶部
３３    ：操作表示部
３４    ：通信部
１００  ：コンテンツ表示システム
１１１  ：コンテンツ取得部
１１２  ：コンテンツ再生処理部
２１１  ：表示制御部
２１２  ：消費電力取得部
２１３  ：特徴抽出部
２１４  ：異常判定部
２１５  ：異常時処置部
【図１】
2020178326.tif 000003
【図２】
2020178326.tif 000004
【図３】
2020178326.tif 000005
【図４】
2020178326.tif 000006
【図５】
2020178326.tif 000007
【図６】
2020178326.tif 000008
【図７】
2020178326.tif 000009